(57)【要約】【課題】構造が簡単で、曲面状のスライド式電子部品用ケースへの複数の電子部品の取り付けが容易に行えるスライド式電子部品用ケース及び電子部品用ケースの製造方法を提供する。【解決手段】摺動型物６０をスライド自在に収納する合成樹脂製の収納部１１を具備し、収納部１１の上部には摺動型物６０のスライド方向と同一方向を向いて延びる開口１７を設け、さらに収納部１１の上部の開口１７のスライド方向に直交する両外側方向に向けて円弧状に湾曲するように収納部１１と一体にケース上面板２０を延設して設け、延設したケース上面板２０の収納部１１の両外側部分に、それぞれ摺動型物６０のスライド方向と同一方向を向いて延びる開口２１，２３，２５を設け、これによってスライド式電子部品用ケース１０を構成する。【選択図】図１
2006012515.tif 000002
【特許請求の範囲】
【請求項１】
摺動型物をスライド自在に収納する合成樹脂製の収納部を具備し、前記収納部の上部には前記摺動型物のスライド方向と同一方向を向いて延びる開口を設け、
さらに前記収納部の上部の開口の前記スライド方向に直交する方向に向けて弧状に湾曲して前記収納部と一体に延設しているケース上面板を具備し、
前記ケース上面板の前記収納部の外側部分に、前記摺動型物のスライド方向と同一方向を向いて延びる開口を設けたことを特徴とするスライド式電子部品用ケース。
【請求項２】
請求項１に記載のスライド式電子部品用ケースにおいて、
前記ケース上面板は、前記収納部の上部の開口の前記スライド方向に直交する両外側方向に向けて延設され、且つ延設された両外側部分にそれぞれ前記開口が設けられていることを特徴とするスライド式電子部品用ケース。
【請求項３】
請求項１又は２に記載のスライド式電子部品用ケースにおいて、
前記ケース上面板の外周側壁部の下面側の辺に凹部を設け、この凹部にこのスライド式電子部品用ケース成形用の樹脂注入部を設けたことを特徴とするスライド式電子部品用ケース。
【請求項４】
平板を一方の方向に向けて弧状に湾曲変形してなる形状であって、且つ前記湾曲している方向に向けて並列に複数の電子部品用の開口を設けてなる構造の電子部品用ケースの製造方法において、
前記弧状の突部を有する第一金型と、弧状の凹部を有する第二金型とを接合することで、前記突部と凹部との間の隙間に前記電子部品用ケースの外形形状と同一形状のキャビティーを形成すると共に、前記キャビティー内に前記開口形成用のスライドピンを前記第二金型側から突出するキャビティー形成工程と、
前記キャビティー内に溶融成形樹脂を充填して硬化させる工程と、
前記各スライドピンをキャビティー内から引き抜いた後に第一，第二金型の接合を開いて電子部品用ケースを取り出す工程とを具備し、
前記各スライドピンは、前記キャビティーの湾曲形状に合わせて、その湾曲形状に略垂直な方向にスライドするように構成していることを特徴とする電子部品用ケースの製造方法。
【発明の詳細な説明】
【技術分野】
【０００１】
本発明は、スライド式電子部品用ケース及び電子部品用ケースの製造方法に関するものである。
【背景技術】
【０００２】
従来、各種電子機器、例えばビデオカメラにおいて、曲面状の外装ケースに複数のスライド式電子部品を装着する場合がある。
【０００３】
しかしながらスライド式電子部品を曲面状の外装ケースに装着する場合、例えば特許文献１に示すように、摺動型物自体を外装ケースの曲面形状に合わせて曲面状に形成するなど、その構造が複雑になっていた。さらにこのスライド式電子部品を一枚の外装ケースに複数設置しようとすると、さらにその構造が複雑になってしまう。
【特許文献１】特開平８−２７３４８４号公報
【発明の開示】
【発明が解決しようとする課題】
【０００４】
本発明は上述の点に鑑みてなされたものでありその目的は、構造が簡単で、曲面状の電子部品用ケースへの複数の電子部品（特にスライド式電子部品）の取り付けが容易に行えるスライド式電子部品用ケース及び電子部品用ケースの製造方法を提供することにある。
【課題を解決するための手段】
【０００５】
本願請求項１に記載の発明は、摺動型物をスライド自在に収納する合成樹脂製の収納部を具備し、前記収納部の上部には前記摺動型物のスライド方向と同一方向を向いて延びる開口を設け、さらに前記収納部の上部の開口の前記スライド方向に直交する方向に向けて弧状に湾曲して前記収納部と一体に延設しているケース上面板を具備し、前記ケース上面板の前記収納部の外側部分に、前記摺動型物のスライド方向と同一方向を向いて延びる開口を設けたことを特徴とするスライド式電子部品用ケースにある。
【０００６】
本願請求項２に記載の発明は、請求項１に記載のスライド式電子部品用ケースにおいて、前記ケース上面板は、前記収納部の上部の開口の前記スライド方向に直交する両外側方向に向けて延設され、且つ延設された両外側部分にそれぞれ前記開口が設けられていることを特徴とするスライド式電子部品用ケースにある。
【０００７】
本願請求項３に記載の発明は、請求項１又は２に記載のスライド式電子部品用ケースにおいて、前記ケース上面板の外周側壁部の下面側の辺に凹部を設け、この凹部にこのスライド式電子部品用ケース成形用の樹脂注入部を設けたことを特徴とするスライド式電子部品用ケースにある。
【０００８】
本願請求項４に記載の発明は、平板を一方の方向に向けて弧状に湾曲変形してなる形状であって、且つ前記湾曲している方向に向けて並列に複数の電子部品用の開口を設けてなる構造の電子部品用ケースの製造方法において、前記弧状の突部を有する第一金型と、弧状の凹部を有する第二金型とを接合することで、前記突部と凹部との間の隙間に前記電子部品用ケースの外形形状と同一形状のキャビティーを形成すると共に、前記キャビティー内に前記開口形成用のスライドピンを前記第二金型側から突出するキャビティー形成工程と、前記キャビティー内に溶融成形樹脂を充填して硬化させる工程と、前記各スライドピンをキャビティー内から引き抜いた後に第一，第二金型の接合を開いて電子部品用ケースを取り出す工程とを具備し、前記各スライドピンは、前記キャビティーの湾曲形状に合わせて、その湾曲形状に略垂直な方向にスライドするように構成していることを特徴とする電子部品用ケースの製造方法にある。
【発明の効果】
【０００９】
請求項１に記載の発明によれば、スライド式電子部品用の摺動型物をスライド自在に収納する収納部の上部の開口の前記スライド方向に直交する方向に向けて弧状に湾曲して収納部と一体に延設しているケース上面板を具備し、ケース上面板の収納部の外側部分に、摺動型物のスライド方向と同一方向を向いて延びる開口を設けたので、一部品で前記摺動型物を用いたスライド式電子部品の収納部とその他の電子部品も同時に取り付けることができるケース上面板とが構成できて部品点数が削減できる。
【００１０】
特にケース上面板の収納部の外側部分に設けた開口は、摺動型物のスライド方向と同一方向を向いて延びるので、この開口にスライド式電子部品を取り付けた際はそのスライド方向がケース上面板の湾曲方向に直交する方向に向かって平行で直線状になり、つまり何れのスライド式電子部品も通常の直線状のスライド式電子部品として構成でき、各スライド式電子部品の構造を簡単にできる。
【００１１】
請求項２に記載の発明によれば、ケース上面板の収納部の両外側部分にそれぞれ開口を設けたので、収納部の両側部分に容易にバランス良く他の電子部品を取り付けることができる。
【００１２】
請求項３に記載の発明によれば、ケース上面板の外周側壁部の下面側の辺に設けた凹部に樹脂注入部を設けたので、この樹脂注入部がケース上面板の外周側壁部よりも外側に向けて突出せず、従ってスライド式電子部品用ケースを上から見たときの見栄えが良くなる。
【００１３】
請求項４にかかる製造方法を用いて電子部品用ケースを製造すれば、製造される電子部品用ケースの各開口を何れも電子部品用ケースの湾曲面に対して略垂直方向を向くように形成することができる。これによって各開口に取り付ける電子部品の向きを、容易に電子部品用ケースの湾曲面に対して略垂直方向を向くように設置することができるようになる。
【発明を実施するための最良の形態】
【００１４】
以下、本発明の実施形態を図面に基づいて詳細に説明する。図１は本発明の一実施形態を適用してなるスライド式電子部品集合体１を示す分解斜視図である。同図に示すようにこのスライド式電子部品集合体１は、円弧状に湾曲変形してなる電子部品用ケース（以下この実施形態においては「スライド式電子部品用ケース」という）１０の上面側に四つのスライドつまみ４０，４５，５０，５５を取り付けると共に、スライド式電子部品用ケース１０の下面側に一つの摺動型物６０及び各種電子部品を搭載した取付板９０を取り付けて構成されている。以下各構成部品について説明する。なお以下の説明で、スライド式電子部品用ケース１０のスライドつまみ４０，４５，５０，５５側を上、取付板９０側を下と定義する。
【００１５】
図２は前記スライド式電子部品用ケース１０を下面側から見た斜視図である。また図３はスライド式電子部品用ケース１０の断面図（図１のＡ−Ａ断面）である。これらの図に示すようにスライド式電子部品用ケース１０は合成樹脂の一体成形品であり、図１に示す摺動型物６０をスライド自在に収納する合成樹脂製の収納部１１を具備し、前記収納部１１の上部に前記摺動型物６０のスライド方向と同一方向を向いて延びる開口１７を設け、さらに前記収納部１１の上部の開口１７の前記スライド方向に直交する方向、本実施形態では両外側方向に向けて円弧状に湾曲して前記収納部１１と一体に延設しているケース上面板２０を具備し、さらに前記ケース上面板２０の前記収納部１１の外側部分、本実施形態では両外側部分に、前記摺動型物６０のスライド方向と同一方向を向いて延びる開口２１，２３，２５を設けて構成されている。
【００１６】
収納部１１は、下面が開放されたコ字状の側壁部１３（四つの辺の内のスライド方向にある一つの辺のみは側壁部１３が設けられず、開放されている形状）と、ケース上面板２０の側壁部１３の上部を覆う部分とによって構成されており、上述のようにケース上面板２０の前記側壁部１３の中央に位置する部分には、この収納部１１内に収納される摺動型物６０のスライド方向に向けて延びる矩形状の開口１７が設けられている。側壁部１３の下辺の所定位置からは三つの小突起からなる固定部１５が一体に突出しており、また側壁部１３のスライド方向に向く一側辺にはこれを矩形状に切り欠いてなる弾発手段係止部１６が設けられている。ケース上面板２０の上面の開口１７の周囲には、スライドつまみ４０をスライド自在に収納する凹状で矩形状のつまみ挿入部１９が設けられ、またケース上面板２０の下面の開口１７の両側部（図では一方のみ示す）にはロック係止用凹部２７が設けられている。
【００１７】
収納部１１上部の両側から外側方向に向けて延設され、これによって帯状の平板を略円弧状に湾曲した形状となっているケース上面板２０の一方の側には二つの開口２１，２３が設けられ、また他方の側には一つの開口２５が設けられている。そしてこれら開口２１，２３，２５も前述の開口１７と同様に、前記摺動型物６０のスライド方向と同一方向を向いて延びている。つまり開口１７，２１，２３，２５は、ケース上面板２０に一列で且つ平行に設けられている。そしてケース上面板２０の上面の各開口２１，２３，２５の周囲にも、スライドつまみ４５，５０，５５をスライド自在に収納する凹状で矩形状のつまみ挿入部２２，２４，２６が設けられている。
【００１８】
ケース上面板２０の下面の円弧方向に向かう両端近傍部分には、平板状に突出する取付部材２９，３１がケース上面板２０と一体に設けられている。取付部材２９，３１の下辺からは小突起状の固定部３３，３５が突出している。これら取付部材２９，３１の突出方向と、前記収納部１１を構成する側壁部１３の突出方向とは、何れも同一方向となるように形成されている。
【００１９】
ケース上面板２０の円弧状に湾曲する一対の外周側壁部３７ａ，３７ｂの内の一方の外周側壁部３７ａは、斜め上方向を向くように屈曲されることで、下方向且つスライド式電子部品用ケース１０側に向かって斜めに傾斜するテーパ面を形成してなる凹部３８を設けている。そしてこの凹部３８にこのスライド式電子部品用ケース１０成形用の樹脂注入部３９が設けられている。樹脂注入部３９はこのスライド式電子部品用ケース１０成形時に成形用樹脂を注入するゲートの先端の成形樹脂が残った部分をいう。
【００２０】
図４，図５，図６はスライド式電子部品用ケース１０の製造方法説明図である。スライド式電子部品用ケース１０を製造するには図４に示すように、円弧状の突部（凸面）２０１を有する第一金型２００と、円弧状の凹部（凹面）３０１を有する第二金型３００とを用意する。この実施形態では、第一金型２００が可動側、第二金型３００が固定側である。第一金型２００の突部２０１は前記スライド式電子部品用ケース１０の下面の形状と同一形状の円弧状に形成されており、突部２０１の面にはスライド式電子部品用ケース１０の側壁部１３と取付部材２９，３１となる凹部２０３，２０５，２０７が形成されている。凹部２０３，２０５，２０７の突出方向は何れも同一方向で、第一金型２００の移動方向と同一方向を向くように形成されている。一方第二金型３００の凹部３０１は前記スライド式電子部品用ケース１０の上面の形状と同一形状の円弧状に形成されている。また凹部３０１の面の前記スライド式電子部品用ケース１０の各開口１７，２１，２３，２５に対向する位置にはスライドピン収納孔３０３，３０５，３０７，３０９が設けられ、それぞれのスライドピン収納孔３０３，３０５，３０７，３０９内にはスライドピン３１１，３１３，３１５，３１７がスライド自在に収納されている。各スライドピン収納孔３０３，３０５，３０７，３０９とスライドピン３１１，３１３，３１５，３１７は、直線状に形成され、その直線方向、即ちスライドピン３１１，３１３，３１５，３１７のスライド方向は、凹部３０１の湾曲形状（即ち下記するキャビティーＣ１の湾曲形状）に合わせて、その湾曲形状に略垂直な方向にスライドする方向を向くように形成されている。各スライドピン３１１，３１３，３１５，３１７の先端には、スライドピン収納孔３０３，３０５，３０７，３０９の内径よりもその外径を小さくしてなる小突起部３０４，３０６，３０８，３１０が設けられている。これら小突起部３０４，３０６，３０８，３１０はスライド式電子部品用ケース１０の各開口１７，２１，２３，２５を形成し、また小突起部３０４，３０６，３０８，３１０の第二金型３００側の外径の大きくなっている部分（キャビティーＣ１内に露出している部分）はスライド式電子部品用ケース１０の各つまみ挿入部１９，２２，２４，２６を形成する。
【００２１】
そして図４に示すように第一，第二金型２００，３００を接合することで、突部２０１と凹部３０１との間の隙間にスライド式電子部品用ケース１０の外形形状と同一形状のキャビティーＣ１を形成する。同時に図４に示すように前記キャビティーＣ１内に前記スライド式電子部品用ケース１０の各開口１７，２１，２３，２５形成用のスライドピン３１１，３１３，３１５，３１７を第二金型３００側から突出してその小突起部３０４，３０６，３０８，３１０の先端面を第一金型２００の突部２０１表面に当接する。
【００２２】
次に、キャビティーＣ１内に熱可塑性樹脂からなる溶融成形樹脂を充填する。ここで図５は接合した第一，第二金型２００，３００の前記図４のスライドピン３１１の部分の紙面手前・奥方向の断面図（図２のＢ−Ｂ線部分に相当する部分の断面図）である。同図に示すようにキャビティーＣ１への樹脂注入口（サイドゲート）２５０は、キャビティーＣ１の凹部３８（図２参照）となる部分ａ、即ち外周側壁部３７ａ（図１参照）となる部分より下面側のキャビティーＣ１側に向かうテーパ状の面の部分、に接続されており、この樹脂注入口２５０から熱可塑性樹脂からなる溶融成形樹脂が充填される。
【００２３】
そして前記溶融成形樹脂が硬化した後に図６に示すように、前記各スライドピン３１１，３１３，３１５，３１７をキャビティーＣ１から第二金型３００側に引き抜き、次に第一，第二金型２００，３００の接合を開いてスライド式電子部品用ケース１０を取り出す。各スライドピン３１１，３１３，３１５，３１７は、キャビティーＣ１の湾曲形状に合わせて、その湾曲形状に略垂直な方向にスライドするように構成されているので、成形された各開口１７，２１，２３，２５及びつまみ挿入部１９，２２，２４，２６はそれぞれスライド式電子部品用ケース１０の湾曲形状に略垂直な方向を向く。一方前述のように第一金型２００側に形成される収納部１１の側壁部１３と取付部材２９，３１の突出方向は、何れも第一金型２００を引き抜く方向と同一方向となる。またこのとき図５に示す樹脂注入口２５０内に成形されている成形樹脂は、その先端近傍で切断され、その際図２に示すように樹脂注入部３９が残るが、この樹脂注入部３９は凹部３８の部分に位置するので、ケース上面板２０の外周側壁部３７よりも外方に向けて突出しないようにすることができる。
【００２４】
以上のようにしてスライド式電子部品用ケース１０を製造すれば、開口形成用の各スライドピン３１１，３１３，３１５，３１７を、キャビティーＣ１の湾曲形状に合わせて、その湾曲形状に略垂直な方向にスライドするように構成したので、形成されるスライド式電子部品用ケース１０の各開口１７，２１，２３，２５を何れもスライド式電子部品用ケース１０の湾曲面に対して略垂直方向を向くように形成することができる。これによって各開口１７，２１，２３，２５に取り付ける電子部品の向きを、容易にスライド式電子部品用ケース１０の湾曲面に対して略垂直方向を向くように設置することができる。
【００２５】
図１に戻ってスライドつまみ４０は、略矩形状の一体成形品であり、その内部に長円形状の貫通孔４１を設け、さらにその下面から二本の取付部４３を突出して構成されている。取付部４３は開口１７内に挿入できる外形寸法に形成されている。
【００２６】
またスライドつまみ４５，５０，５５はそれぞれ略矩形状の一体成形品であり、その下面からそれぞれ取付部４７，５１，５７（図７参照）を突出して構成されている。各取付部４７，５１，５７はそれぞれ開口２１，２３，２５内に挿入できる外形寸法に形成されている。
【００２７】
摺動型物６０は、摺動型物本体部６１の上部にロック機構部７１を積層配置して構成されており、その全体が前記スライド式電子部品用ケース１０の収納部１１内に、前記スライドつまみ４０のスライド方向にスライド自在となるように収納される寸法形状に形成されている。摺動型物本体部６１は矩形状の成形品であってその下面に摺動子６３（図７参照）を取り付け、またその内部に収納したコイルバネの両端６５をその側面から外部に突出して構成されている。ロック機構部７１は前記摺動型物本体部６１の外形形状と同一の矩形状の本体部７３の中央に形成した凹部７５内にロック部材８１の基部８３を収納して構成されている。ロック部材８１は、本体部７３内に収納したコイルスプリング等の図示しない弾発手段によって上方向に弾発されている。ここでロック部材８１は、前記本体部７３に形成した凹部７５内に収納される矩形状の基部８３と、基部８３の上面から突出して前記スライドつまみ４０の貫通孔４１に挿入される押圧部８５とを具備して構成されている。基部８３の前記押圧部８５のスライド方向に向かう両側には、前記スライドつまみ４０の二本の取付部４３をそれぞれ挿入して基部８３の裏面側で熱カシメするための一対の開口８７が設けられている。また基部８３の前記押圧部８５のスライド方向に直交する方向に向かう両側には、小突起状のロック用突起８９が設けられている。
【００２８】
取付板９０は矩形状で帯状に長い金属板を、前記スライド式電子部品用ケース１０の四つの開口２１，２３，１７，２５部分の円弧状の面に対してそれぞれ略平行な平面となるように、屈曲させて四つの平面９１，９３，９５，９７を設けている。取付板９０の前記スライド式電子部品用ケース１０の各固定部１５，３３，３５（図２参照）に対向する位置には、これらを挿入する貫通する小孔からなる固定部取付部９９を設けている。
【００２９】
そして取付板９０の上面（スライド式電子部品用ケース１０側の面）には、一枚のフレキシブル回路基板１００が載置・固定されている。フレキシブル回路基板１００は、四つの矩形状の基板部１１０，１２０，１３０，１４０を、連結部１５０，１６０，１７０によって一列に連結し、基板部１１０側からは引出部１８０を引き出して構成されている。基板部１１０上にはケース２１０内に摺動型物２２０をスライド自在に収納してなるスライド式電子部品本体部２００が取り付けられている。ケース２１０の側面からは摺動型物２２０のレバー２２１が突出している。摺動型物２２０はスライドつまみ４５のスライド方向に向けてスライド移動する。同様に、基板部１２０上にはケース２４０内に摺動型物２５０をスライド自在に収納してなるスライド式電子部品本体部２３０が取り付けられている。ケース２４０の側面からは摺動型物２５０のレバー２５１が突出している。摺動型物２５０はスライドつまみ５０のスライド方向に向けてスライド移動する。同様に、基板部１４０上にはケース２７０内に摺動型物２８０をスライド自在に収納してなるスライド式電子部品本体部２６０が取り付けられている。ケース２７０の側面からは摺動型物２８０のレバー２８１が突出している。摺動型物２８０はスライドつまみ５５のスライド方向に向けてスライド移動する。一方基板部１３０上には、前記摺動型物６０の下面に取り付けた摺動子６３が摺接する摺接パターン２９０が形成されている。摺接パターン２９０はこの実施形態では二組の平行に形成されたスライドスイッチ用のパターンである。摺接パターン２９０の周囲の面は絶縁層によって覆われている。なお各ケース２１０，２４０，２７０は、図示はしないがその下面から突出する小突起をフレキシブル回路基板１００と取付板９０にそれぞれ設けた貫通孔に挿入し、その先端を取付板９０の下面に固定することで、スライド式電子部品本体部２００，２３０，２６０とフレキシブル回路基板１００と取付板９０とを一体に固定している。なお基板部１３０の前記固定部取付部９９に対向する位置には、貫通する小孔からなる取付部１３１が設けられている。
【００３０】
そして以上のように構成されている各部品を組み立てるには、まずスライド式電子部品用ケース１０の上面側のつまみ挿入部１９内にスライドつまみ４０を挿入する。次にスライド式電子部品用ケース１０の下面側に設けた収納部１１内にロック部材８１を収納した本体部７３（本体部７３とロック部材８１間には図示しない弾発手段を設置する）を収納し、その際スライドつまみ４０に設けた取付部４３をロック部材８１に設けた開口８７に挿入し、その先端を本体部７３の下面側で熱カシメする。これによってスライドつまみ４０は本体部７３と一体化し、同時にロック部材８１はスライドつまみ４０に対して上下動自在であって且つロック部材８１は図示しない弾発手段によって上方向に弾発されているので、ロック部材８１の押圧部８５の先端はスライドつまみ４０の貫通孔４１からスライドつまみ４０の上部に突出する。そして本体部７３の下面に摺動型物本体部６１を図示しない固定手段によって一体に固定する。このとき摺動型物本体部６１から突出するコイルバネの両端６５は、収納部１１の弾発手段係止部１６内に収納され、従って摺動型物６０はその中立位置として開口１７のほぼ中央に位置する。
【００３１】
次にスライド式電子部品用ケース１０の上面側の各つまみ挿入部２２，２４，２６内に各スライドつまみ４５，５０，５５を挿入する。次にスライド式電子部品用ケース１０の下面側に突出するスライドつまみ５０の取付部５１に、図７に示すように、板状の取付台５２を固定する。そしてスライド式電子部品用ケース１０の下面側に前記フレキシブル回路基板１００を取り付けた取付板９０を設置し、その際スライド式電子部品用ケース１０の下面に設けた各固定部１５，３３，３５を取付板９０に設けた固定部取付部９９に挿入し、それらの先端を取付板９０の下面で熱カシメし、これによって上記各部材を一体化してスライド式電子部品集合体１が完成する。図７は完成したスライド式電子部品集合体１の側面図である。
【００３２】
このとき図７に示すように、スライドつまみ４５の取付部４７にはスライド式電子部品本体部２００のレバー２２１が係合する。またスライドつまみ５０の取付部５１に固定した取付台５２の下面に設けた係止部５２ａにはスライド式電子部品本体部２３０のレバー２５１が係合する。またスライドつまみ５５の取付部５７にはスライド式電子部品本体部２６０のレバー２８１が係合する。また摺動型物６０は収納部１１内にスライド自在に収納され、同時にその摺動子６３は摺接パターン２９０上に弾接している。またスライドつまみ４０が開口１７の中央（中立位置）に位置するときは、ロック部材８１のロック用突起８９は、スライド式電子部品用ケース１０のロック係止用凹部２７に係合している。
【００３３】
スライド式電子部品集合体１は、スライドつまみ４０、ケース上面板２０、収納部１１、摺動型物６０、基板部１３０、取付板９０によって第一スライド式電子部品Ａ１が構成され、スライドつまみ４５、ケース上面板２０、スライド式電子部品本体部２００、基板部１１０、取付板９０によって第二スライド式電子部品Ａ２が構成され、スライドつまみ５０、ケース上面板２０、スライド式電子部品本体部２３０、基板部１２０、取付板９０によって第三スライド式電子部品Ａ３が構成され、スライドつまみ５５、ケース上面板２０、スライド式電子部品本体部２６０、基板部１４０、取付板９０によって第四スライド式電子部品Ａ４が構成される。
【００３４】
そして前記ロックされているスライドつまみ４０から突出するロック部材８１の押圧部８５を押圧してロック部材８１を弾発手段の弾発力に抗して下降させると、前記ロック用突起８９とロック係止用凹部２７との係合が外れ、この状態のままスライドつまみ４０をスライドすれば前記摺接パターン２９０上を摺動子６３が摺動してその出力が変化する。前記スライドつまみ４０への押圧を解除すれば、前記摺動型物６０内に設置したコイルバネの弾発力によってスライドつまみ４０は元の中立位置に自動復帰し、ロックされる。一方スライドつまみ４５，５０，５５をスライドすれば、それぞれスライド式電子部品本体部２００，２３０，２６０が操作されてそれぞれの出力が変化する。
【００３５】
以上のようにこの実施形態にかかるスライド式電子部品用ケース１０は、ストッパー機能が付く等してその構造が複雑な第一スライド式電子部品Ａ１用の摺動型物６０をスライド自在に収納する収納部１１と、その他のスライド式電子部品Ａ２，Ａ３，Ａ４をも同時に取り付けることができるケース上面板２０とを一部品で構成したので、部品点数が削減できる。また湾曲するケース上面板２０を有するスライド式電子部品用ケース１０に、容易に摺動型物６０による第一スライド式電子部品Ａ１を含む複数の電子部品を取り付けることができるようになる。特に延設したケース上面板２０の収納部１１の両側部分にそれぞれ設けた開口２１，２３，２５は、摺動型物６０のスライド方向と同一方向を向いて延びるので、これら開口２１，２３，２５にスライド式電子部品Ａ２，Ａ３，Ａ４を取り付けた際は何れもそのスライド方向がケース上面板２０の湾曲方向に直交する方向に向かって平行で直線状になり、つまり何れのスライド式電子部品Ａ１，Ａ２，Ａ３，Ａ４もケース上面板２０の湾曲形状に合わせることなく、通常の直線状のスライド式電子部品Ａ１，Ａ２，Ａ３，Ａ４として構成でき、その構造を簡単にすることができる。
【００３６】
なお収納部１１の両側に開口２１，２３，２５を設けるようにケース上面板２０を設けたのは、このように構成することによって収納部１１の位置をケース上面板２０の中央付近に位置させるためである。即ち収納部１１を湾曲するケース上面板２０の中央付近に設けると、ケース上面板２０の湾曲面に対して側壁部１３が略垂直になり、略矩形状の収納部１１を構成できるが、収納部１１を湾曲するケース上面板２０の端の方に設けると、ケース上面板２０の湾曲面に対して側壁部１３が斜めに大きく傾斜し、略矩形状の収納部１１が構成できずに摺動型物６０を収納しにくくなるからである。
【００３７】
またこの実施形態にかかるスライド式電子部品集合体１によれば、一部品で収納部１１とケース上面板２０とが構成できて部品点数が削減できるばかりか、湾曲するケース上面板２０を有するスライド式電子部品用ケース１０に、容易に前記摺動型物６０によるスライド式電子部品を含む複数のスライド式電子部品Ａ１，Ａ２，Ａ３，Ａ４を取り付けることができる。
【００３８】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、ケース上面板２０の円弧状に湾曲する湾曲面は、前記ケース上面板２０の厚み方向に向かって、収納部１１側（ケース上面板２０の下面側）から見て上方向に凸となる湾曲面（即ちケース上面板２０の上面側から見て凸となる湾曲面）であるが、これとは逆に、収納部１１側（ケース上面板２０の下面側）から見て下方向に凸となる湾曲面（即ちケース上面板２０の上面側から見て凹となる湾曲面）であってもよい。
【００３９】
また上記実施形態においてはケース上面板２０を円弧状に湾曲させたが、円弧状以外の弧状（弓なり）に湾曲させたものでも良い。また上記実施形態では収納部１１の上部の開口１７のスライド方向に直交する両外側方向に向けてケース上面板２０を設けたが、ケース上面板２０は収納部１１の上部の開口１７のスライド方向に直交する一方の方向のみに向けて延設してもよい。要はケース上面板２０は、収納部１１の上部の開口１７のスライド方向に直交する方向に向けて弧状に湾曲するように延設するものであればどのような形状・構造であってもよい。またスライド式電子部品用ケース１０や開口１７，２１，２３，２５や収納部１１の形状・構造に種々の変形が可能であることはいうまでもない。
【００４０】
上記実施形態ではケース上面板２０に凹部３８を形成するために、その外周側壁部３７ａの下面側の辺に下方向に向かい且つケース上面板２０側に向けて斜めに傾斜するテーパ面を設けたが、本発明はテーパ面による凹部３８の形状に限定されず、例えば階段状に凹む凹部等、他の各種形状・構造の凹部３８であっても良い。要は外周側壁部３７ａの下面側の辺を外周側壁部３７ａの面よりも内側（ケース上面板２０側）に窪ませる凹部であれば良い。また上記実施形態ではケース上面板２０の外周辺を構成する外周側壁部３７（３７ａ）の一辺全体を凹部３８に構成し、この凹部３８に樹脂注入部３９を設けたが、凹部３８は必ずしも一辺全体に設ける必要はなく、少なくとも樹脂注入部３９を設ける部分に凹部３８を設ければ良い。
【００４１】
上記実施形態では各々のスライドピン３１１，３１３，３１５，３１７をそれぞれキャビティーＣ１の湾曲形状に合わせて、その湾曲形状に略垂直な方向にスライドするように構成したが、隣接する二本以上のスライドピンが接近しているような場合は、図８に示す二本のスライドピン３１３，３１５のように、これら複数のスライドピン３１３，３１５を平行にスライドするように構成しても良い。このように構成すれば、これらによって形成される開口２１，２３の向きがスライド式電子部品用ケース１０の湾曲面に対して垂直な方向から少しずれるが、一方でスライドピン３１３，３１５の駆動構造が簡素化され、製造コストの低減化が図れる。
【００４２】
上記実施形態にかかる製造方法によって製造される電子部品用ケースに設ける開口２１，２３，２５には、必ずしもスライド式電子部品を装着する必要はなく、例えば押釦式電子部品等、他の種々の電子部品を装着する形状としても良い。
【図面の簡単な説明】
【００４３】
【図１】本発明の一実施形態を適用してなるスライド式電子部品集合体１の分解斜視図である。
【図２】スライド式電子部品用ケース１０を下面側から見た斜視図である。
【図３】スライド式電子部品用ケース１０の断面図（図１のＡ−Ａ断面図）である。
【図４】スライド式電子部品用ケース１０の製造方法説明図である。
【図５】スライド式電子部品用ケース１０の製造方法説明図である。
【図６】スライド式電子部品用ケース１０の製造方法説明図である。
【図７】スライド式電子部品集合体１の側面図である。
【図８】スライド式電子部品用ケース１０の他の製造方法説明図である。
【符号の説明】
【００４４】
１  スライド式電子部品集合体
１０  スライド式電子部品用ケース
１１  収納部
１３  側壁部
１５  固定部
１６  弾発手段係止部
１７，２１，２３，２５  開口
１９，２２，２４，２６  つまみ挿入部
２０  ケース上面板
２７  ロック係止用凹部
２９，３１  取付部材
３３，３５  固定部
３７（３７ａ，３７ｂ）  外周側壁部
３８  凹部
３９  樹脂注入部
４０，４５，５０，５５  スライドつまみ
４３，４７，５１，５７  取付部
６０  摺動型物
９０  取付板
２００  第一金型
２０１  突部
２０３，２０５，２０７  凹部
２５０  樹脂注入口
３００  第二金型
３０１  凹部
３０３，３０５，３０７，３０９  スライドピン収納孔
３０４，３０６，３０８，３１０  小突起部
Ｃ１  キャビティー
３１１，３１３，３１５，３１７  スライドピン
６１  摺動型物本体部
６３  摺動子
７１  ロック機構部
７３  本体部
８１  ロック部材
９０  取付板
９１，９３，９５，９７  平面
１００  フレキシブル回路基板
１１０，１２０，１３０，１４０  基板部
２００，２３０，２６０  スライド式電子部品本体部
２１０，２４０，２７０  ケース
２２０，２５０，２８０  摺動型物
２２１，２５１，２８１  レバー
２９０  摺接パターン
Ａ１，Ａ２，Ａ３，Ａ４  スライド式電子部品
【図１】
2006012515.tif 000003
【図２】
2006012515.tif 000004
【図３】
2006012515.tif 000005
【図４】
2006012515.tif 000006
【図５】
2006012515.tif 000007
【図６】
2006012515.tif 000008
【図７】
2006012515.tif 000009
【図８】
2006012515.tif 000010